(57)【要約】【課題】災害弱者に対しても十分にエリアメール等の「避難勧告情報」による災害発生予想の伝達を可能とする、緊急避難指示照明灯を提供する。【解決手段】この緊急避難指示照明灯１において、その制御部は、避難勧告信号の非受信時は、基部２００から照明器具部１００の取り外しを不可とするロック維持状態を選択し、避難勧告信号の受信時は、基部２００から照明器具部１００の取り外しを可能とするロック解除状態を選択するように、ロック機構を制御し、さらに、制御部は、基部２００から照明器具部１００が取外された後は、警告光の発光を停止するとともに、スピーカーから警告音の発生を停止する制御を行なう。【選択図】図１
2020072081.tif 000002
【特許請求の範囲】
【請求項１】
照明器具部と、
前記照明器具部を支持する基部と、
前記基部への前記照明器具部の着脱を可能にするロック機構と、
携帯電話等に送信される避難勧告信号の受信が可能な制御部と、を備え、
前記照明器具部は、照明装置およびスピーカーを含み、
前記制御部は、前記避難勧告信号の受信時は、前記照明装置により避難用の警告光を発光させるとともに、前記スピーカーから避難用の警告音を発する制御を行ない、
前記制御部は、前記避難勧告信号の非受信時は、前記基部から前記照明器具部の取り外しを不可とするロック維持状態を選択し、前記避難勧告信号の受信時は、前記基部から前記照明器具部の取り外しを可能とするロック解除状態を選択するように、前記ロック機構を制御し、
さらに、前記制御部は、前記基部から前記照明器具部が取外された後は、前記警告光の発光を停止するとともに、前記スピーカーから前記警告音の発生を停止する制御を行なう、緊急避難指示照明灯。
【請求項２】
前記照明器具部は、ＧＰＳ発信器を内蔵し、前記基部から前記照明器具部の取り外した後の前記照明器具部の移動の追跡を可能とする、請求項１に記載の緊急避難指示照明灯。
【請求項３】
前記照明器具部は、電源回路を含み、
前記電源回路への電力の供給は、商用電源、太陽光発電、および、蓄電池のいずれか、またはそれらの組み合わせである、請求項１または請求項２に記載の緊急避難指示照明灯。
【請求項４】
前記基部は、柱状の形態を有し、
前記照明器具部は、前記基部の上端部に着脱可能に設けられている、請求項１から請求項３のいずれか１項に記載の緊急避難指示照明灯。
【発明の詳細な説明】
【技術分野】
【０００１】
本発明は、緊急避難指示照明灯に関する。
【背景技術】
【０００２】
平成２７年１１月１９日１１時より気象庁が配信する「緊急地震速報」、「津波警報」、「特別警報」、その他の、国・地方公共団体が配信する「災害・避難情報」などを、対象エリアにある携帯電話およびスマートフォンが回線混雑の影響を受けずに受信できるプッシュ型同報配信する機能を用いて、災害の到来、避難勧告の情報配信を「緊急速報メール」として行なってきた。以下、このような情報を総称して「避難勧告情報」と呼ぶ。
【０００３】
気候変動等による豪雨の増加傾向は顕在化しており、河川整備基本方針によれば、河川整備計画規模を上回る降雨の発生地点数は、国管理河川、都道府県管理河川ともに近年増加傾向となっているデータが開示された。
【０００４】
平成２８年７月、国土交通省は水害リスクの高い約５７０市町村でタイムラインを策定し、防災行動への取組とハザードマップ等を作成し、平成２９年６月までに、国管理河川の沿線の７３０市町村でタイムラインの策定が完了し、平成３０年５月１日から国土交通省が水害リスクの高い約４００の市町村で洪水予測に基づく国管理河川全１０９水系の「洪水情報」を、避難行動のきっかけとなる「避難勧告情報」として、「エリアメール」を提供している。
【０００５】
図２１に、「水防災意識社会再構築ビジョン：平成２７年１２月１１日：国土交通省：水管理・国土保全局の資料に掲載された、「住民目線のソフト対策」を掲載する。この資料では、「住民目線のソフト対策」として、「水害リスクの高い地域を中心に、スマートフォンを活用したプッシュ型の洪水予想の配信など、住民が自らリスクを察知し主体的に避難できるよう住民目線のソフト対策に重点的に取り組む」べきことが提案されている。
【０００６】
具体的には、「リスク情報の周知」から、「事前の行動計画、訓練」および「避難行動のきっかけとなる情報をリアルタイムで提供」に移行するタイムラインが示されている。
【０００７】
災害発生時に利用可能な街路灯用照明器具に関する発明が特許第５０２６６０６号公報（特許文献１）に開示されている。災害情報提供装置及び津波避難指示装置からなる避難誘導システムに関する発明が、特開２０１３−４１５１６号公報（特許文献２）に開示され、避難表示ポールおよび道案内避難ルートシステムに関する発明が、特開２０１３−１２７７６４号公報（特許文献３）に開示されている。懐中電灯、サーバ及び連絡システムに関する発明が特開２００５−２０９５５９号公報（特許文献４）に開示され、防災システムに関する発明が、特開２００５−３０１５４７号公報（特許文献５）に開示されている。
【先行技術文献】
【特許文献】
【０００８】
【特許文献１】特許第５０２６６０６号公報
【特許文献２】特開２０１３−４１５１６号公報
【特許文献３】特開２０１３−１２７７６４号公報
【特許文献４】特開２００５−２０９５５９号公報
【特許文献５】特開２００５−３０１５４７号公報
【発明の概要】
【発明が解決しようとする課題】
【０００９】
洪水による水災害は、上流域で集中的に降雨した水量が、下流域で自然流下できない流量となった箇所の堤防が決壊する等、洪水の場所と時間が気象情報と水位測定等から予測できる。
【００１０】
以前は遊水池機能を担う田畑であった土地が宅地として開発され、大勢の人が住むようになった。そのため、洪水が発生すると、人命、家屋、財産、電気、水道のいわゆる「ライフライン」の喪失等、災害の内容も激甚化する。
【００１１】
上記したように、洪水の被害に対して、人命を守るために住民の主体的な避難を促進する趣旨で「避難勧告情報」を平成３０年５月１日から、スマートフォンに「エリアメール」として配信してきた。
【００１２】
「エリアメール」による「洪水情報と避難勧告情報」が始まって２ヶ月後の平成３０年７月に発生した岡山県倉敷市真備町の水害による死者の約９割が６５歳以上の高齢者であったと報じられた。
【００１３】
国土交通省の配信する「エリアメール」による「災害予知情報」、その他の「避難勧告情報」は日常的にスマートフォンを利用しない高齢者、子ども達、その他の災害弱者には伝わらないという課題が残った。
【００１４】
この発明は、上記のような問題に鑑みてなされたものであり、災害弱者に対しても十分にエリアメール等の「避難勧告情報」による災害発生予想の伝達を可能とする、緊急避難指示照明灯を提供することを目的とする。
【課題を解決するための手段】
【００１５】
本開示に基づく緊急避難指示照明灯は、照明器具部と、上記照明器具部を支持する基部と、上記基部への上記照明器具部の着脱を可能にするロック機構と、携帯電話等に送信される避難勧告信号の受信が可能な制御部と、を備え、上記照明器具部は、照明装置およびスピーカーを含み、上記制御部は、上記避難勧告信号の受信時は、上記照明装置により避難用の警告光を発光させるとともに、上記スピーカーから避難用の警告音を発する制御を行なう。
【００１６】
上記制御部は、上記避難勧告信号の非受信時は、上記基部から上記照明器具部の取り外しを不可とするロック維持状態を選択し、上記避難勧告信号の受信時は、上記基部から上記照明器具部の取り外しを可能とするロック解除状態を選択するように、上記ロック機構を制御する。
【００１７】
さらに、上記制御部は、上記基部から上記照明器具部が取外された後は、上記警告光の発光を停止するとともに、上記スピーカーから上記警告音の発生を停止する制御を行なう。
【００１８】
他の形態においては、上記照明器具部は、ＧＰＳ発信器を内蔵し、上記基部から上記照明器具部の取り外した後の上記照明器具部の移動の追跡を可能とする。
【００１９】
他の形態においては、上記照明器具部は、電源回路を含み、上記電源回路への電力の供給は、商用電源、太陽光発電、および、蓄電池のいずれか、またはそれらの組み合わせである。
【００２０】
他の形態においては、上記基部は、柱状の形態を有し、上記照明器具部は、上記基部の上端部に着脱可能に設けられている。
【発明の効果】
【００２１】
この緊急避難指示照明灯によれば、災害弱者に対しても十分にエリアメール等の「避難勧告情報」による災害発生予想の伝達を可能とする。
【図面の簡単な説明】
【００２２】
【図１】「避難勧告情報」による、避難勧告および避難行動を示す概念図である。
【図２】「避難勧告情報」を受信した緊急避難指示照明灯の機能を説明する概念図である。
【図３】避難者による緊急避難指示照明灯の操作状態を示す概念図である。
【図４】避難者による緊急避難指示照明灯を用いた避難状態を示す概念図である。
【図５】本実施の形態の緊急避難指示照明灯の構成を示す概念図である。
【図６】本実施の形態の緊急避難指示照明灯の照明器具部の構造を示す概念図である。
【図７】本実施の形態の緊急避難指示照明灯の基部の構造を示す概念図である。
【図８】本実施の形態の緊急避難指示照明灯の照明器具部の詳細構造を示す縦断面図である。
【図９】図８中におけるＩＸ−ＩＸ線矢視における照明器具部と基部とのロック機構を示す第１模式図である。
【図１０】図８中におけるＩＸ−ＩＸ線矢視における照明器具部と基部とのロック機構を示す第２模式図である。
【図１１】本実施の形態の緊急避難指示照明灯のシステムブロック図である。
【図１２】他の実施の形態の緊急避難指示照明灯の外観を示す第１図である。
【図１３】他の実施の形態の緊急避難指示照明灯の外観を示す第２図である。
【図１４】他の実施の形態の緊急避難指示照明灯の外観を示す第３図である。
【図１５】他の実施の形態の緊急避難指示照明灯の外観を示す第４図である。
【図１６】他の実施の形態の緊急避難指示照明灯の外観を示す第６図である。
【図１７】他の実施の形態の緊急避難指示照明灯の外観を示す第７図である。
【図１８】他の実施の形態の緊急避難指示照明灯の外観を示す第８図である。
【図１９】図１８に示す緊急避難指示照明灯の使用状態を示す模式図である。
【図２０】本実施の形態における緊急避難指示照明灯を複数用いた避難経路を示す模式図である。
【図２１】「水防災意識社会再構築ビジョン：平成２７年１２月１１日：国土交通省：水管理・国土保全局」の資料に掲載された、「住民目線のソフト対策」を示す図である。
【発明を実施するための形態】
【００２３】
今日、国民の約２割が７０歳以上の高齢者であり更に高齢化が進む予測の下、大人の助けが必要な子ども達も含めた、いわゆる災害弱者に、スマートフォンに配信されると同時に「緊急地震速報」、「津波警報」、「特別警報」、「災害・避難情報」、および、「洪水情報」、その他の「避難勧告情報」を具体的に伝える緊急避難指示照明灯の設置による見える化を進めるに当り、緊急避難指示照明灯を適正箇所へ設置するための場所の設定が重要となる。
【００２４】
災害弱者の高齢者と子ども達は世代が大きく異なる。しかし、単独で活動できる圏内に限って言及すれば、成人健常者と比べて、日常生活に限られた範囲、公園、学校、高齢者が利用する公益施設など狭い生活圏に日常の活動拠点を持っている。
【００２５】
そこに至る道路も含め、「避難勧告信号」と出会う場所を検証すると、以下の施設が緊急避難指示照明灯の位置決定の目安となる。
【００２６】
一つに照明灯、次に車止め・バリカー、更に路上のスツール・ベンチ等。これらは、歩道上のどこにでもある一般的な工作物である。これらの工作物は大半が地域の市役所、町役場が管理している。交通安全施設、防犯灯など警察が管理者の施設もあるが、大半地域住民が納税して建設された施設である。
【００２７】
高齢者、子ども達等の災害弱者に「避難勧告信号」を「見える化」する指標として緊急避難指示照明灯の照明器具部を共架できれば、「避難勧告情報」を用いた住民の命を守る課題を解決する大きな一歩となる。
【００２８】
７３０市町村でタイムラインの策定が完了したハザードマップと施設管理者の管理台帳と重ねた時、共架可能な緊急避難指示照明灯設置の設置位置と設置箇所数、新たに緊急避難指示照明灯を設置する設置位置と設置箇所数が明らかとなる。
【００２９】
以下に開示する緊急避難指示照明灯を設置した後、繰り返して行う避難訓練によって生まれる自助と互助の精神は、あるべき地域社会の再構築である。人々が愛でる手作り感のある施設が至る所に点在する緊急避難指示照明灯の設置は、地域住民が共有する命を守る原風景である。緊急避難指示照明灯に将来取り込まれる進化するＩＴ、ＡＴの先端技術を採用すれば、日本全国地域格差なく享受できる。
【００３０】
以下、図を参照しながら、本実施の形態の緊急避難指示照明灯について説明する。以下に説明する実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。図面においては、実際の寸法の比率に従って図示しておらず、構造の理解を容易にするために、構造が明確となるように比率を変更して図示している箇所がある。
【００３１】
この緊急避難指示照明灯は、緊急避難指示照明灯の適正箇所へ設置する計画による住民の誰にも伝わる災害予知情報、その他の避難勧告情報の見える化と、避難するまで避難勧告情報を継続して見せ続けることで地域住民全員が避難するきっかけをつくる機能を有している。
【００３２】
緊急避難指示照明灯は、避難勧告信号を受信すると照明器具部が警告音と閃光等の警告光を放ち、注意喚起を開始する。
【００３３】
緊急避難指示照明灯の照明器具部は、平常時、外部の明るさを感知して暗くなれば自動点灯し、明るくなれば自動消灯する。しかし、避難勧告信号を受信すると、明るくとも認識可能な閃光等の警告光を放ち、発する警告音により緊急避難指示照明灯の存在を地域住民に示し、早く避難するように音を強めながら地域住民の主体的な避難行動を促す。
【００３４】
照明器具部を手持ちして定められた避難場所へ移動する道中、まだ警告音と警告光を発する緊急避難指示照明灯があれば、声掛けをして、災害の到来を伝え、一緒に避難するように働きかける。
【００３５】
内蔵されたＧＰＳ発信器回路によって管理者（災害対策本部）が地域住民の避難状況を掌握することを可能とし、地域住民の安全を守る情報源の一つとなる。
【００３６】
「避難勧告信号」を受信した緊急避難指示照明灯は、「照明制御回路」および「オーディオ制御回路」を有し、地域住民に災害の到来を伝えるために、劣悪な気象条件下にあっても認識可能な、避難用の警告音と避難用の警告光とを放ち始める。この警告音を聞いたら、逃げなくては被災すると住人の多くが認識できる。緊急速報「エリアメール」で使用されている音の数値で発信し、徐々に音質、音量、音色を強めて、「誰にも聞こえる」から「うるさい程」へと変化させる。
【００３７】
公的機関から音の数値の補正が伝えられれば緊急速報「エリアメール」の発信音は自動的に修正が可能なため、避難訓練をくりかえすことで、地域特性に適合した避難システムの全体計画に従い、地域において警告音の数値補正を可能とするとよい。
【００３８】
照明器具部を取外した基部は「照明制御回路」および「オーディオ制御回路」の設定により、避難解除となるまで注意信号が点滅して地域に災害が到来する避難勧告があったことを伝え、緊急避難指示照明灯１の役割を継続して担うとよい。
【００３９】
（緊急避難指示照明灯１の役割）
図１から図４を参照して、緊急避難指示照明灯１の役割について説明する。図１は、「避難勧告情報」による、避難勧告および避難行動を示す概念図、図２は、「避難勧告情報」を受信した緊急避難指示照明灯の機能を説明する概念図、図３は、避難者による緊急避難指示照明灯の操作状態を示す概念図、図４は、避難者による緊急避難指示照明灯を用いた避難状態を示す概念図である。
【００４０】
「避難勧告情報」とは、これまで説明したように、平成２７年１１月１９日１１時より気象庁が配信する「緊急地震速報」、「津波警報」、「特別警報」、その他の、国・地方公共団体が配信する「災害・避難情報」などを、対象エリアにある携帯電話およびスマートフォンが回線混雑の影響を受けずに受信できるプッシュ型同報配信する機能を用いて、災害の到来、避難勧告の情報配信を「緊急速報メール」として行なってきており、これらを総称して「避難勧告情報」と呼ぶ。
【００４１】
図１を参照して、災害対策本部から、エリアメールセンターに指示が与えられ、エリアメールセンターから、スマートホーンに「避難勧告信号」が発せられる。これと同時に、本実施の形態における緊急避難指示照明灯１は、「避難勧告信号」を受信し、警告音と警告光とを放ち始める。
【００４２】
警告音は、住民に避難を勧告するためのものであるため、「うるさい」程の大音量を想定している。また、警告光も、住民に避難を勧告するためのものであるため、「まぶしい」程の光量を想定している。
【００４３】
緊急避難指示照明灯１は、照明器具部１００と基部２００とを含む。通常状態（平時）においては、照明器具部１００は基部２００にロック機構を用いて固定されており、照明器具部１００の基部２００からの取り外しはできない。他方、有事の場合には、緊急避難指示照明灯１は、「避難勧告信号」を受信すると、ロック機構を解除して、照明器具部１００は基部２００から取り外し可能となる。
【００４４】
照明器具部１００には、ＧＰＳ（グローバル・ポジショニング・システム）発信器が内蔵されているとよい。これにより、照明器具部１００を保持して避難する避難者１０の避難経路を確認することができる。
【００４５】
図２を参照して、緊急避難指示照明灯１は、「避難勧告信号」を受信し、警告音と警告光とを放ち始める。災害弱者の高齢者、子ども達だけでなく全ての避難者１０が、緊急避難指示照明灯１から発せられる警告音と警告光とを目印として集まる。
【００４６】
図３を参照して、緊急避難指示照明灯１に到達した避難者１０は、照明器具部１００を基部２００から取外す。これにより、警告音（爆音）は消され、または、リラックスできる避難用でない警告音に変化する。さらに、警告光（閃光）は、避難用でない通常の照明に変化し、避難する際の照明灯として機能する。
【００４７】
図４を参照して、避難者１０は、夜間であれば、照明灯として照明器具部１００を保持しながら、避難場所に避難を開始する。
【００４８】
（緊急避難指示照明灯１の外観構成）
次に、図５から図７を参照して、緊急避難指示照明灯１の外観構成について説明する。図５は、本実施の形態の緊急避難指示照明灯１の構成を示す概念図、図６は、本実施の形態の緊急避難指示照明灯１の照明器具部１００の構造を示す概念図、図７は、本実施の形態の緊急避難指示照明灯１の基部２００の構造を示す概念図である。
【００４９】
図５を参照して、緊急避難指示照明灯１の外観構成について説明する。緊急避難指示照明灯１は、照明器具部１００および基部２００を含む。基部２００は、円柱形状の支柱である。照明器具部１００は、ランタンの形態を有している。照明器具部１００は、基部２００の上端部に取付られている。照明器具部１００の設置高さは床埋め込み式から既存車止め、既設防犯灯の高さ等いずれであってもよい。
【００５０】
基部２００の高さは、災害時以外の場合には、通常の街灯として機能させるとともに、「避難勧告信号」を受信し、警告音と警告光とを放ち、避難者１０が容易に発見し、照明器具部１００を取り外せる高さが良く、たとえば、地面から、５０ｃｍ〜１５０ｃｍ位であるとよい。
【００５１】
図６を参照して、照明器具部１００を基部２００から取外した場合には、避難者１０が容易に照明器具部１００を保持できるようなハンドル１８０を有しているとよい。ハンドル１８０は、照明器具部１００に対して折り畳めるように設けられているとよい。
【００５２】
図７を参照して、基部２００の上端には、発光部２２０および蓄光部２３０を備えているとよい。これにより、緊急避難指示照明灯１から照明器具部１００を取外した後の基部２００も、照明灯および誘導灯としての機能を有する。
【００５３】
（照明器具部１００の具体的な内部構成）
図８から図１０を参照して、照明器具部１００の具体的な内部構成について説明する。図８は、緊急避難指示照明灯１の照明器具部１００の詳細構造を示す縦断面図、図９および図１０は、図８中におけるＩＸ−ＩＸ線矢視における照明器具部と基部とのロック機構を示す第１および第２模式図である。
【００５４】
図８を参照して、この照明器具部１００は、透光性を有する円筒形状のハウジング１１１の内部に、照明装置部１００Ａおよびロック機構１００Ｂを含む。照明装置部１００Ａは、ＬＥＤ照明等の照明装置１０５１および制御回路１０００が備えられている。制御回路１０００の詳細について後述する。照明装置１０５１には、通常の照明器具に加え閃光等の警告光を放つ照明が備えられている。
【００５５】
ロック機構１００Ｂとしては、ハウジング１１１の下方に上部ブラケット１１２、中間ブラケット１１４、および、下部ブラケット１１５を有している。上部ブラケット１１２は、ピンＰ１を用いてハウジング１１１の底部に固定されている。上部ブラケット１１２には、下方に直線状のロックプレート１１３ｂを有する支持軸１１３が、ピンＰ３を用いて固定されている。支持軸１１３は、軸を中心に回転可能に、中間ブラケット１１４、および、下部ブラケット１１５に支持されている。中間ブラケット１１４は、ピンＰ２を用いて、下部ブラケット１１５に固定されている。
【００５６】
下部ブラケット１１５には、制御回路１０００から与えられる信号に基づいて回動するロータリーソレノイド１１７が設けられている。ロータリーソレノイド１１７には、ロックレバー１１６が固定され、ロータリーソレノイド１１７の動きに同期している。ロータリーソレノイド１１７の先端部分には、ロックピン１２０がＰ１を用いて固定されている。
【００５７】
基部２００は、支柱本体２１０と、この支柱本体２１０の上端部に上端プレート２１１およびロックブラケット２１２が設けられている。ロックブラケット２１２は、ピンＰ５を用いて、上端プレート２１１に固定されている。
【００５８】
図８から図１０を参照して、ロック機構１００Ｂについて説明する。図８に示すように、ロックピン１２０は、上下方向に摺動可能に下部ブラケット１１５に保持され、コイルバネ１１９の付勢力により、下方に向けて押し付けられている。
【００５９】
図９を参照して、ロックピン１２０の下端は、ロックピン１２０が下降している通常状態においては、ロックブラケット２１２に設けられたロック貫通孔２１２ｈ１を貫通し、ロックプレート１１３ｂに設けられたロック孔１１３ｈに当接している。その結果、ロックプレート１１３ｂおよび支持軸１１３は回動しない。この状態がロック維持状態である。
【００６０】
ロックブラケット２１２には、直線状のロックプレート１１３ｂを通過させるための直線状のロック解除孔２１２ｇが設けられているが、上述のロック状態においては、ロックプレート１１３ｂとロック解除孔２１２ｇとの位置は、相互に９０度ずれた位置となるため、ロックブラケット２１２からロックプレート１１３ｂを引き抜くことはできない。
【００６１】
図１０を参照して、ロータリーソレノイド１１７が、図８中の矢印Ａ方向に回動すると、ロックピン１２０が上方に持ち上げられ、ロックピン１２０の下端は、ロック孔１１３ｈへの当接およびロック貫通孔２１２ｈ１への貫通が解除される。これにより、ロックプレート１１３ｂおよび支持軸１１３の回動が可能となる。この状態がロック解除状態である。
【００６２】
ロックプレート１１３ｂおよび支持軸１１３を９０度回動させることで、ロックプレート１１３ｂは、ロック解除孔２１２ｇを通過させることが可能となる。これにより、照明器具部１００を基部２００から離脱させることができる。
【００６３】
ロックピン１２０が上昇している状態では、ロックピン１２０の外周面に設けられた凹部１２０ｋにボールプランジャ１１８が付勢することで、ロックピン１２０の上昇位置が固定される。
【００６４】
照明器具部１００を基部２００から離脱させることで、内蔵するセンサー（図示省略）等により、照明器具部１００における警告音の発生および警告光の発光が停止等されることとなる。
【００６５】
（緊急避難指示照明灯１の制御回路１０００）
次に、図１１を参照して、緊急避難指示照明灯１の制御回路１０００について説明する。図１１は、緊急避難指示照明灯１のシステムブロック図である。緊急避難指示照明灯１は、地震情報、洪水予報等災害等に関わる情報のプッシュ型で配信される「避難勧告信号」を地域住民の携帯電話、スマートフォンが受信するのと同時に、当該「避難勧告信号」を、本実施の形態の緊急避難指示照明灯１が受信する。
【００６６】
制御回路１０００は、中央制御部（ＣＰＵ）１０１０を有し、この中央制御部（ＣＰＵ）１０１０は、電源回路１０２０、ＧＰＳ発信器回路１０３０、無線携帯電波回路１０４０、照明制御回路１０５０、オーディオ制御回路１０６０およびロック機構制御回路１０７０を制御する。制御回路１０００は、無線携帯電波回路１０４０により受信した「避難勧告信号」の情報に基づき、ロック機構制御回路１０７０を制御して、上述したロック維持状態およびロック解除状態の制御を行なう。
【００６７】
電源回路１０２０には、商用電源（ＡＣ）１０２３以外に、太陽光発電１０２２、および、非常用電源１０２１からの電力供給も可能に制御されているとよい。照明器具部１００の発光源は、地下導線による商用電源、独立型太陽光発電による電源、電池による電源、充電された蓄電池、将来開発される新たな方式の電源等いずれであってもよく、供給される電源特性にこだわらない。
【００６８】
ＧＰＳ発信器回路１０３０には、アンテナ１０３１が含まれており、緊急避難指示照明灯１の設置の確認、および、基部２００からの照明器具部１００を取外した後の照明器具部１００の位置確認を行なう。さらに、照明器具部１００が、元の基部２００に再装着された場合、所定の避難場所に載置された状態も、中央制御部（ＣＰＵ）１０１０において、その判別をおこなうことができる。照明器具部１００の位置については、災害対策本部（図１参照）でも把握することができる。電源については、将来開発される新規な電源であってもよい。
【００６９】
無線携帯電波回路１０４０は、「避難勧告信号」の受信を行なうアンテナ１０４１を含む。この信号の受信により、中央制御部（ＣＰＵ）１０１０は、照明制御回路１０５０、オーディオ制御回路１０６０およびロック機構制御回路１０７０の制御を行なう。
【００７０】
照明制御回路１０５０に対しては、照明装置１０５１により警告光（閃光等）を放つ制御を行なう。オーディオ制御回路１０６０に対しては、避難勧告は発令された旨の情報をスピーカー１０６１を通じて行なう。予め録音された音声情報、徐々に音が大きくなる警告音等、様々な避難勧告情報を音として提供する。さらに、ロック機構制御回路１０７０の制御を行ない、照明器具部１００を基部２００から離脱可能な状態にする。
【００７１】
上記において説明したロック機構１００Ｂは、あくまでも一例であって、公知のロック機構を用いることが可能である。
【００７２】
このような構成を備える緊急避難指示照明灯１によれば、制御回路１０００は、避難勧告信号の受信時は、照明装置１０５１により避難用の警告光を発光させるとともに、スピーカー１０６１から避難用の警告音を発する制御を行なう。制御回路１０００は、避難勧告信号の非受信時は、基部２００から照明器具部１００の取り外しを不可とするロック維持状態を選択し、避難勧告信号の受信時は、基部２００から照明器具部１００の取り外しを可能とするロック解除状態を選択するように、ロック機構１００Ｂを制御する。
【００７３】
さらに、制御回路１０００は、基部２００から照明器具部１００が取外された後は、警告光の発光を停止するとともに、スピーカー１０６１から警告音の発生を停止する制御を行なう。
【００７４】
また、非常時には、警告音および警告光で設置所がわかるようにすることができる。非常時（ＳＯＳ発信、所持者位置把握）には、ＧＰＳ衛星より現在位置（緯度経度）を取得することもできる。さらに、携帯電話の受信基地局間での測定になるので、ある程度の位置精度を期待することができる。
【００７５】
平常時には、地域住民の命を守る施設として新たに設置される緊急避難指示照明灯１は、災害弱者の高齢者、子どもたちが日常的に親しみを感じ好感を持つ形態を有すこと好ましい。一方、有事の際には、避難する地域住民が気丈な気持ちを保つ力に寄り添う形態として手作り感を有する形とするのがよい。
【００７６】
（他の形態に緊急避難指示照明灯）
図１２から図１５に、他の形態の緊急避難指示照明灯の外観を示す。図１２から図１５に示すように、災害弱者の高齢者、子ども達が親しめるように、全体としてのデザイン性に富み、製作においても、３Ｄ機械図に因る製造においても人の手を介したモデリングを加え、形のもつ温かさを損なわない製造工程を採用するとよい。海外からの来訪者へは、有事にあって言葉が通じ難い補完として、見て納得できる安心感を緊急避難指示照明灯１のもつ形態の品格と品質によって担うとよい。
【００７７】
国土交通省が国管理河川全１０９水系の水域に降った降雨量を測定監視して、洪水予測に基づき避難勧告をプッシュ型緊急速報「エリアメール」をスマートフォンに発信すると同時に無線携帯電波回路１０４０を持つ緊急避難指示照明灯１は避難勧告信号を受信する。
【００７８】
緊急避難指示照明灯１は、避難勧告信号を受信すると照明器具部１００が警告音と警告光を放ち、注意喚起を開始する。緊急避難指示照明灯１は、避難勧告信号の受信時には照明器具部１００のロック機構が外れ、照明器具部１００を基部２００から取り外して手持ちすることが可能となる。
【００７９】
緊急避難指示照明灯１の照明器具部１００は、平常時は、外部の明るさを感知して暗くなれば自動点灯し、明るくなれば自動消灯するとよい。避難勧告信号を受信すると明るくとも認識可能な警告光を放ち、発する警告音により緊急避難指示照明灯の存在を地域住民に示し、早く避難するように音を強めながら地域住民の主体的な避難行動を促す。
【００８０】
緊急避難指示照明灯１の照明器具部１００を基部２００から取外し手持ちとすると、照明制御回路１０５０およびオーディオ制御回路１０６０の設定により、照明器具部１００の警告音（うるさい程の音）と警告光は、穏やかな音と光に切り替わり、避難する道中における心を支える役割を担う。
【００８１】
避難路の心の支えとなる音と光に変化した照明器具部１００は、避難場所へ地域住民が移動する際、足元を照らす役割のみならず、照明器具部１００を携えて同じく避難する人の姿も視認でき、心細さに気丈な気持ちを強める役割を任ずる（図４参照）。
【００８２】
他方、地域住民が照明器具部１００を手持ちして避難行動に移るまでは、警告音と警告光を更に強めながら放ち、地域住民に対して避難すべきことの注意喚起を継続する。
【００８３】
（他の基部の形態）
図１６から図１９を参照して、他の形態の基部を有する緊急避難指示照明灯１について説明する。図１６から図１９は、他の形態の緊急避難指示照明灯の外観を示す図である。
【００８４】
緊急避難指示照明灯１は、地域に基部２００を共有可能な既設があれば照明器具部１００を共架することができる。たとえば、図１６に示す緊急避難指示照明灯１Ｅのように、電柱３００に基部２００Ａを固定し、この基部２００Ａに照明器具部１００を載置してもよい。図１７に示す緊急避難指示照明灯１Ｆのように、建物（市役所、公民館、集会場、消防署、派出所等）４００に基部２００Ｂを固定し、この基部２００Ｂに照明器具部１００を載置してもよい。
【００８５】
図１８および図１９に示す緊急避難指示照明灯１Ｇのように、照明器具部１００の位置が遠くからも容易に識別できるように、背の高い支柱４００の上部に昇降可能な基部２００Ｃを設けて、この基部２００Ｃに照明器具部１００を載置してもよい。この場合には、避難者１０は、支柱４００に設けられたスイッチ５００を操作することで、基部２００Ｃを下降させて、基部２００Ｃから照明器具部１００を取外すことができる。
【００８６】
照明器具部１００はＧＰＳ発信器回路１０３０を内蔵しているとよい。これにより、照明器具部１００を取り外して手持ちし避難した避難者１０の行動履歴を確認することができる。ＧＰＳ情報により管理者は、的確な災害救助計画を立案し、具体的な救助活動を開始することが可能となる。
【００８７】
ロック機構が外れ、取り外しが可能となる照明器具部１００の機能を災害の到来時に始めて体験することが無い様に、緊急避難指示照明灯１を設置した場合には、緊急避難指示照明灯１を用いた避難訓練を行なうことは重要である。
【００８８】
地域社会の安全と安心を構築する目的から、緊急避難指示照明灯１の設置後、避難訓練により住民が避難の手順を学習し、災害の到来時にあわてず、手順どおりの基本動作に従い、地域住民全員の命を守ることを主目的とする訓練システムを有し、定期的に警告音と閃光を放つ避難訓練を繰り返すとよい。
【００８９】
災害到来を広域に伝える役割を担う本実施の形態の緊急避難指示照明灯１、１Ａ〜１Ｇは、「今様の火の見櫓」と考え、既設の公報塔のほか、地域の広域から住民が視認できる電波塔、無線通信の送受信中継電信塔に照明器具部を共架する等、新たに建柱する必要はないが、必要な場所に該当する支柱が無い場合はその限りではない。
【００９０】
（緊急避難指示照明灯１を用いた避難経路）
図２０を参照して、本実施の形態における緊急避難指示照明灯１を複数用いた避難経路Ｅ１を示す模式図である。図２０に示すように、海岸沿い、または、河川沿いからの避難路、避難施設へ誘導する目的で緊急避難指示照明灯１を複数本、連続的に設置し、避難経路Ｅ１を可視化する。高台に位置する避難場所２０００の近傍には、基部の長い緊急避難指示照明灯１Ｇを配置する。この場合には、有事のみならず地域の有用な施設として平常時に住民が利用できる場所を探して設置するとよい。
【００９１】
連続的に建柱する緊急避難指示照明灯１の利用予測から、照明器具部１００の取外し、警告音と警告光の設定を検証の上、実態に即した仕様に、照明制御回路１０５０およびオーディオ制御回路１０６０の設定を行なうとよい。
【００９２】
将来一般化される生活様式に有用で住民の安全と安心に係わる新たな情報信号機器を加えることを可能とし、平常時の生活支援を担う実態に即した照明制御回路１０５０およびオーディオ制御回路１０６０を、中央制御部（ＣＰＵ）１０１０で行なうとよい。
【００９３】
照明器具部１００は、照明制御回路１０５０およびオーディオ制御回路１０６０の設定により、避難場所２０００で静止した状態に置くと、設定した時間で自動的に音と光は消えるようにするとよい。避難解除となるまでは、再度、照明器具部１００を動かせば機能は復旧するように制御するとよい。
【００９４】
避難解除となるまで避難先で静止した状態に置いた照明器具部１００は、新たな危険が到来する避難勧告信号を受信すると、設定した時間帯、警告音と警告光を発信し、避難場所２０００における身の安全を再度確認する様に勧告するとよい。
【００９５】
避難場所２０００で静止した状態に置いた照明器具部は、照明制御回路１０５０に連結された自動点灯装置（図示省略）により、暗くなれば点灯し、明るくなれば消灯する。
【００９６】
電源は、どのような電源特性にも対応できる性能から、被災地のライフラインが壊れて施設全体が停電するような場合には、照明器具部１００に装備された非常用電源１０２１と独立型の太陽光発電１０２２により、繰り返し充電することで、大規模災害における中長期の避難生活に灯りを灯し続けることを可能とする。
【００９７】
ＧＰＳ発信器回路１０３０によって全ての緊急避難指示照明灯１に照明器具部１００が戻り、避難訓練を実施して、地域住民が日常生活を再建するに向けた復興へ切り替わる節目とする。
【００９８】
緊急避難指示照明灯１の役割が災害の到来に際し自助、互助の仕組みを築き、地域社会のコミュニティの質と絆を強めることに寄与する他、高齢化、過疎化が進む地域社会において、地域住民が平常時に求める生活支援の役割を担う事も可能となるため、緊急避難指示照明灯１の名称は、新たな時代の変化に対応した新しい名称の変更を可能とする。
【００９９】
以上、本発明の実施の形態について説明したが、今回開示された実施の形態はすべての点で例示であって制限的なものではない。本発明の範囲は請求の範囲によって示され、請求の範囲と均等の意味および範囲内でのすべての変更が含まれる。
【符号の説明】
【０１００】
１，１Ａ〜１Ｇ  緊急避難指示照明灯、１０  避難者、１００  照明器具部、１００Ａ  照明装置部、１００Ｂ  ロック機構、１１１  ハウジング、１１２  上部ブラケット、１１３  支持軸、１１３ｂ  ロックプレート、１１３ｈ  ロック孔、１１４  中間ブラケット、１１５  下部ブラケット、１１６  ロックレバー、１１７  ロータリーソレノイド、１１８  ボールプランジャ、１１９  コイルバネ、１２０  ロックピン、１２０ｋ  凹部、１８０  ハンドル、２００，２００Ａ，２００Ｂ，２００Ｃ  基部、２１０  支柱本体、２１１  上端プレート、２１２  ロックブラケット、２１２ｇ  ロック解除孔、２１２ｈ１  ロック貫通孔、２２０  発光部、２３０  蓄光部、３００  電柱、４００  支柱、５００  スイッチ、１０００  制御回路、１０２０  電源回路、１０２１  非常用電源、１０２２  太陽光発電、１０３０  発信器回路、１０３１，１０４１  アンテナ、１０４０  無線携帯電波回路、１０５０  照明制御回路、１０５１  照明器具、１０６０  オーディオ制御回路、１０６１  スピーカー、１０７０  ロック機構制御回路、２０００  避難場所。 
【図１】
2020072081.tif 000003
【図２】
2020072081.tif 000004
【図３】
2020072081.tif 000005
【図４】
2020072081.tif 000006
【図５】
2020072081.tif 000007
【図６】
2020072081.tif 000008
【図７】
2020072081.tif 000009
【図８】
2020072081.tif 000010
【図９】
2020072081.tif 000011
【図１０】
2020072081.tif 000012
【図１１】
2020072081.tif 000013
【図１２】
2020072081.tif 000014
【図１３】
2020072081.tif 000015
【図１４】
2020072081.tif 000016
【図１５】
2020072081.tif 000017
【図１６】
2020072081.tif 000018
【図１７】
2020072081.tif 000019
【図１８】
2020072081.tif 000020
【図１９】
2020072081.tif 000021
【図２０】
2020072081.tif 000022
【図２１】
2020072081.tif 000023